(57)【要約】【課題】本発明は、視聴者のそれぞれの視聴契約状況等に対応した番組の情報を提供し、視聴者の利便性を向上させることを可能とする放送番組選択システムを提供することを目的とする。【解決手段】本発明に係る放送番組選択システムは、複数の放送画像を一画面上に表示するマルチ画像を表示するためのマルチ画像データとマルチ画像に含まれる複数の放送画像の位置情報及び内容情報を含む放送情報データとを表示装置に送信し、複数の放送画像のそれぞれを表示装置で視聴可能であるか否かを示す視聴可能情報を記憶するデータ放送受信装置と、マルチ画像データ及び放送情報データを重畳して表示し、複数の放送画像の何れかを選択する表示装置とを有し、データ放送受信装置は、放送情報データに基づいて選択部が選択した放送画像を特定し、視聴可能情報に基づいて特定された放送画像が視聴可能でないと判定された場合には、視聴不可画像を表示装置に表示させる。【選択図】図１
2016225853.tif 000002
【特許請求の範囲】
【請求項１】
データ放送送信装置、データ放送受信装置及び表示装置を有する放送番組選択システムであって、
前記データ放送送信装置は、
複数の放送画像を一画面上に表示するマルチ画像を表示するためのマルチ画像データを生成するマルチ画像データ生成部と、
前記マルチ画像に含まれる前記複数の放送画像の位置情報及び内容情報を含む放送情報データを生成する放送情報データ生成部と、
前記マルチ画像データ及び前記放送情報データを送信する第１送信部と、を備え、
前記データ放送受信装置は、
前記マルチ画像データ及び前記放送情報データを受信する第１受信部と、
前記マルチ画像データ及び前記放送情報データを前記表示装置に送信する第２送信部と、
前記複数の放送画像のそれぞれを前記表示装置で視聴可能であるか否かを示す視聴可能情報を記憶する記憶部と、を備え、
前記表示装置は、
前記マルチ画像データ及び前記放送情報データを受信する第２受信部と、
前記マルチ画像データ及び前記放送情報データを重畳して表示する表示部と、
前記表示部に表示された前記複数の放送画像の何れかを選択する選択部と、を備え、
前記データ放送受信装置は、
前記放送情報データに基づいて前記選択部が選択した放送画像を特定し、
前記視聴可能情報に基づいて、前記特定された放送画像が視聴可能か否かを判定し、
前記特定された放送画像が視聴可能でないと判定された場合には、視聴不可画像を前記表示装置に表示させる制御部を更に有する、
ことを特徴とする放送番組選択システム。
【請求項２】
前記放送情報データは、前記データ放送受信装置を使用するユーザが選択した放送データに関連するユーザ関連データを更に含み、
前記表示部は、前記ユーザ関連データを含む内容情報に対応する放送画像の表示位置に、前記ユーザ関連データに対応するユーザ関連画像を表示する、請求項１に記載の放送番組選択システム。
【請求項３】
前記放送番組選択システムは、視聴履歴管理装置を更に備え、
前記データ放送受信装置は、前記カーソル図形が表示された位置に対応する放送画像が選択されたときに、前記選択された放送画像に対応する放送番組の映像データを前記出力装置に出力させ且つ前記選択された放送画像の内容情報及び前記データ放送受信装置を識別するための識別情報を含む視聴履歴データを前記視聴履歴管理装置に送信する選局部を更に備え、
前記視聴履歴管理装置は、
前記視聴履歴データに含まれる前記内容情報及び前記識別情報に基づいて、前記ユーザ関連データを作成する作成部と、
前記ユーザ関連データを、前記識別情報により識別される前記データ放送受信装置に配信する配信部とを備える、請求項２に記載の放送番組選択システム。
【請求項４】
前記視聴履歴データは、前記データ放送受信装置が設置される地域を示す地域情報を更に含み、
前記ユーザ関連データは、前記地域情報に対応する地域毎に作成された地域関連データを更に含む、請求項３に記載の放送番組選択システム。
【請求項５】
放送番組選択方法であって、
データ放送送信装置において、複数の放送画像を一画面上に表示するマルチ画像を表示するためのマルチ画像データ、前記マルチ画像に含まれる前記複数の放送画像の位置情報及び内容情報を含む放送情報データを生成し、
前記複数の放送画像のそれぞれを前記表示装置で視聴可能であるか否かを示す視聴可能情報を記憶する記憶部を備えるデータ放送受信装置において、前記マルチ画像データ及び前記放送情報データを受信して、表示装置に送信し、
前記表示装置において、表示された前記複数の放送画像の何れかを選択し、
前記データ放送受信装置において、前記放送情報データに基づいて前記選択手段が選択した放送画像を特定し、前記表示可能情報に基づいて特定された放送画像が視聴可能か否かを判断し、前記特定された放送画像が視聴可能でないと判断された場合には、視聴不可画像を前記表示部に表示する、
を含むことを特徴とする放送番組選択方法。
【発明の詳細な説明】
【技術分野】
【０００１】
本発明は、放送番組選択システム、及び放送番組選択方法に関する。
【背景技術】
【０００２】
近年、視聴者が、番組情報を表示装置に表示させる放送受信装置を操作することによって、放送受信装置が放送送信装置から送信される放送番組を選局する放送番組選択システムが知られている。このような放送番組選択システムでは、放送番組に関する文字情報や画像情報が選択可能に表示装置に表示され、表示された文字情報や画像情報が視聴者によって選択されると、選択された文字情報や画像情報に対する放送番組が選局される。そして、選局された放送番組に係る映像が表示装置に表示される。
【０００３】
例えば、特許文献１には、１つの画面を複数に分割した子画面のそれぞれに、１６放送チャンネル分の映像が表示されるマルチ画面を、表示装置に表示させる電子番組ガイド受信装置が記載されている。この電子番組ガイド受信装置では、視聴者が何れかの子画面を選択することで、選択された子画面の放送チャンネルが選局される。また、この電子番組ガイド受信装置では、表示装置に表示されたカーソルが各子画面に位置した場合、視聴者の選局操作による選局処理、カーソルが位置する子画面の番組の番組内容の表示処理等が実行される。
【先行技術文献】
【特許文献】
【０００４】
【特許文献１】特開平８−２８９２６４号公報
【発明の概要】
【発明が解決しようとする課題】
【０００５】
従来の放送番組選択システムは、視聴者による番組選択の利便性を向上させるために、各放送番組の映像情報の他に、放送番組を紹介する文字情報を表示装置に表示させていた。しかしながら、このような放送番組選択システムでは、どの視聴者に対しても同一の情報が提供され、視聴者の視聴契約状況等に対応した放送番組を選択するための情報を提供することができなかった。
【０００６】
本発明は、このような課題を解決すべくなされたものであり、視聴者のそれぞれの視聴契約状況等に対応した番組の情報を提供し、視聴者の利便性を向上させることを可能とする放送番組選択システム及び放送番組選択方法を提供することを目的とする。
【課題を解決するための手段】
【０００７】
本発明に係る放送番組選択システムは、データ放送送信装置、データ放送受信装置及び表示装置を有する放送番組選択システムであって、データ放送送信装置は、複数の放送画像を一画面上に表示するマルチ画像を表示するためのマルチ画像データを生成するマルチ画像データ生成部と、マルチ画像に含まれる複数の放送画像の位置情報及び内容情報を含む放送情報データを生成する放送情報データ生成部と、マルチ画像データ及び放送情報データを送信する第１送信部と、を備え、データ放送受信装置は、マルチ画像データ及び放送情報データを受信する第１受信部と、マルチ画像データ及び放送情報データを表示装置に送信する第２送信部と、複数の放送画像のそれぞれを表示装置で視聴可能であるか否かを示す視聴可能情報を記憶する記憶部と、を備え、表示装置は、マルチ画像データ及び放送情報データを受信する第２受信部と、マルチ画像データ及び放送情報データを重畳して表示する表示部と、表示部に表示された複数の放送画像の何れかを選択する選択部と、を備え、データ放送受信装置は、放送情報データに基づいて選択部が選択した放送画像を特定し、視聴可能情報に基づいて、特定された放送画像が視聴可能か否かを判定し、特定された放送画像が視聴可能でないと判定された場合には、視聴不可画像を表示装置に表示させる制御部を更に有する。
【０００８】
また、本発明に係る放送番組選択システムにおいて、放送情報データは、データ放送受信装置を使用するユーザが選択した放送データに関連するユーザ関連データを更に含み、表示部は、ユーザ関連データを含む内容情報に対応する放送画像の表示位置に、ユーザ関連データに対応するユーザ関連画像を表示することが好ましい。
【０００９】
また、本発明に係る放送番組選択システムにおいて、放送番組選択システムは、視聴履歴管理装置を更に備え、データ放送受信装置は、カーソル図形が表示された位置に対応する放送画像が選択されたときに、選択された放送画像に対応する放送番組の映像データを出力装置に出力させ且つ選択された放送画像の内容情報及びデータ放送受信装置を識別するための識別情報を含む視聴履歴データを視聴履歴管理装置に送信する選局部を更に備え、視聴履歴管理装置は、視聴履歴データに含まれる内容情報及び識別情報に基づいて、ユーザ関連データを作成する作成部と、ユーザ関連データを、識別情報により識別されるデータ放送受信装置に配信する配信部とを備えることが好ましい。
【００１０】
また、本発明に係る放送番組選択システムにおいて、視聴履歴データは、データ放送受信装置が設置される地域を示す地域情報を更に含み、ユーザ関連データは、地域情報に対応する地域毎に作成された地域関連データを更に含むことが好ましい。
【００１１】
本発明に係る放送番組選択方法は、データ放送送信装置において、複数の放送画像を一画面上に表示するマルチ画像を表示するためのマルチ画像データ、マルチ画像に含まれる複数の放送画像の位置情報及び内容情報を含む放送情報データを生成し、複数の放送画像のそれぞれを表示装置で視聴可能であるか否かを示す視聴可能情報を記憶する記憶部を備えるデータ放送受信装置において、マルチ画像データ及び放送情報データを受信して、表示装置に送信し、表示装置において、表示された複数の放送画像の何れかを選択し、データ放送受信装置において、放送情報データに基づいて選択手段が選択した放送画像を特定し、表示可能情報に基づいて特定された放送画像が視聴可能か否かを判断し、特定された放送画像が視聴可能でないと判断された場合には、視聴不可画像を表示部に表示する、を含む。
【発明の効果】
【００１２】
本発明に係る放送番組選択システム及び放送番組選択方法では、視聴者のそれぞれの視聴契約状況等に対応した番組の情報を提供し、視聴者の利便性を向上させることが可能となる。
【図面の簡単な説明】
【００１３】
【図１】放送番組選択システム１の概略を説明するための模式図である。
【図２】放送番組選択システム１の概略構成の一例を示す図である。
【図３】データ放送受信装置５の概略構成の一例を示す図である。
【図４】視聴履歴管理装置６の概略構成の一例を示す図である。
【図５】マルチ画像信号生成装置７の概略構成の一例を示す図である。
【図６】データ信号生成装置８の概略構成の一例を示す図である。
【図７】信号多重化装置９の概略構成の一例を示す図である。
【図８】番組選択放送データ表示処理の動作フローの一例を示す図である。
【図９】選局処理の動作フローの一例を示す図である。
【図１０】視聴履歴管理処理の動作フローの一例を示す図である。
【発明を実施するための形態】
【００１４】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１５】
図１は、放送番組選択システム１の概略を説明するための模式図である。
【００１６】
放送番組選択システム１は、データ放送送信装置４、データ放送受信装置５及び表示装置１０を有する。データ放送送信装置４は、放送事業者が有し、放送データをケーブルテレビ（Cable Television, CATV）網を介してデータ放送受信装置５に送信する。なお、放送データは、画像データ、音声データ、及び放送情報データ等を含む。画像データは、例えば、放送番組の映像データ、静止画像データ等である。放送情報データは、ＢＭＬ（Broadcast Markup Language）等の記述言語によって記述された図形画像データ、文字データ及び／又は制御データである。図形画像データ及び文字データは、データ放送受信装置５によってＢＭＬブラウザ等が用いられて表示装置１０に表示される。制御データは、表示制御等の制御情報が特定されたデータであり、例えば、図形画像データを移動表示させたり、視聴者の操作入力情報に基づいて選局処理を実行させたりする制御情報が特定されたデータである。
【００１７】
データ放送送信装置４は、放送番組を選択するための放送データとして、番組選択放送データを生成する。データ放送送信装置４は、番組選択放送データとして、複数の放送画像を一画面上に表示するマルチ画像を表示するためのマルチ画像データとマルチ画像に含まれる複数の放送画像の位置情報及び内容情報を含む放送情報データとを生成する。
【００１８】
放送画像は、複数の放送局のそれぞれから提供される各放送データに含まれる画像データであり、マルチ画像に表示される画像サイズに縮小される。マルチ画像は、複数の子画面に分割された画面を表示するための画像であり、複数の子画面のそれぞれは、複数の放送局の放送データの放送画像が対応付けられる。
【００１９】
内容情報は、対応する放送画像の放送番組の名称、番組カテゴリー、番組紹介情報等である。番組紹介情報には、出演者名、番組に関連する地域の名称、視聴対象年齢等の情報が含まれる。
【００２０】
データ放送送信装置４は、マルチ画像データ及び放送情報データを各視聴者が有するデータ放送受信装置５に送信する。
【００２１】
データ放送受信装置５は、データ放送送信装置４から送信されたマルチ画像データ及び放送情報データを受信し、受信したマルチ画像データ及び放送情報データを表示装置１０に送信する。表示装置１０は、テレビ受信機、ディスプレイモニター等である。
【００２２】
データ放送受信装置５は、複数の放送画像のそれぞれを表示装置１０で視聴可能であるか否かを示す視聴可能情報を記憶する。例えば、データ放送受信装置５は、Ｃ−ＣＡＳ（Conditional Access System）カードを装着するＣＡＳカード用スロットを備え、Ｃ−ＣＡＳカードに記憶された識別情報によって、各放送画像の放送番組の視聴可能情報を作成して記憶する。
【００２３】
表示装置１０は、データ放送受信装置５から送信されたマルチ画像データ及び放送情報データを受信し、マルチ画像データに放送情報データを重畳して表示する。なお、表示装置１０は、マルチ画像データ及び放送情報データを受信するための受信部を有し、マルチ画像データに放送情報データを重畳して表示するための表示部を有する。表示装置１０は、表示部に表示された複数の放送画像の何れかを選択（選局）するための選択部を有する。選択部は、複数の放送画像のそれぞれの位置情報によって示される位置にカーソル図形を移動可能に表示し、ユーザの選局操作情報に基づいてカーソル図形が表示された位置に対応する放送画像を選択する機能を有する。
【００２４】
データ放送受信装置５は、ユーザが選局操作をした場合、カーソル図形が表示された位置に対応する放送情報データに含まれる位置情報に対応する内容情報に基づいて、放送画像の放送画像を特定する。次に、データ放送受信装置５は、記憶された各放送画像の放送番組の視聴可能情報によって、特定された放送画像が視聴可能か否かを判定する。
【００２５】
データ放送受信装置５は、特定された放送画像が視聴可能であると判定された場合は、放送画像の放送番組を選局して、表示画面１０に表示させる。また、データ放送受信装置５は、特定された放送画像が視聴可能でないと判定された場合は、視聴不可画像を表示画面１０に表示させる。視聴不可画像は、放送情報データに含まれる図形画像データ及び文字データに基づいて表示される画像である。なお、視聴不可画像は、データ放送受信装置５が予め記憶した画像等であってもよい。
【００２６】
上述のとおり、放送番組選択システム１によって、視聴者のそれぞれの視聴契約状況等に対応した番組の情報を提供し、視聴者の利便性を向上させることが可能となる。
【００２７】
なお、上述した図１の説明は、本発明の内容への理解を深めるための説明にすぎない。本発明は、具体的には、次に説明する各実施形態において実施され、且つ、本発明の原則を実質的に超えずに、さまざまな変形例によって実施されてもよい。このような変形例はすべて、本発明および本明細書の開示範囲に含まれる。
【００２８】
図２は、本実施形態の放送番組選択システム１の概略構成の一例を示す図である。
【００２９】
放送番組選択システム１は、放送事業者側２が有するデータ放送送信装置４及び視聴履歴管理装置６と、視聴者側３が有するデータ放送受信装置５及び表示装置１０とを有する。データ放送送信装置４及びデータ放送受信装置５は、ケーブルテレビ網１２によって互いに接続され、データ放送送信装置４が、放送データをケーブルテレビ網１２を介してデータ放送受信装置５に送信する。表示装置１０は、データ放送受信装置５と接続され、データ放送受信装置５から出力された放送番組の放送データを出力する。データ放送受信装置５及び視聴履歴管理装置６は、インターネット１１等の通信ネットワークを介して相互に接続される。
【００３０】
放送事業者が有するデータ放送送信装置４は、マルチ画像信号生成装置７、データ信号生成装置８及び信号多重化装置９を備える。マルチ画像信号生成装置７及びデータ信号生成装置８は、それぞれ信号多重化装置９と接続され、作成した各信号を信号多重化装置９に出力する。信号多重化装置９は、ケーブルテレビ網１２と接続され、マルチ画像信号生成装置７及びデータ信号生成装置８から出力された各信号を多重化した多重化信号を作成し、作成された多重化信号を視聴者側３のデータ放送受信装置５に送信する。
【００３１】
マルチ画像信号生成装置７は、複数の放送局のそれぞれから提供される各放送データを取得する。そして、マルチ画像信号生成装置７は、複数の放送画像を一画面上に表示するマルチ画像データを生成し、生成されたマルチ画像データを示すマルチ画像信号を生成し、信号多重化装置９に出力する。マルチ画像信号生成装置７は、複数の放送画像のそれぞれの音声データを変換した音声信号を、マルチ画像信号とともに信号多重化装置９に出力してもよい。
【００３２】
データ信号生成装置８は、マルチ画像に含まれる複数の放送画像の位置情報及び内容情報を含む放送情報データを作成する。データ信号生成装置８は、作成された放送情報データを示す放送情報データ信号を生成し、生成された放送情報データ信号を信号多重化装置９に出力する。放送情報データは、同時に重畳表示する映像データに対応する放送データに関連するデータ、複数の放送データの何れかを選択可能なカーソル図形データ等を含む。
【００３３】
信号多重化装置９は、マルチ画像信号生成装置７から出力されたマルチ画像信号とデータ信号生成装置８から出力された放送情報データ放送情報信号とを、ＴＳ（Transport Stream）等の信号形式に多重化する。以下、多重化された信号を、ＴＳ信号と称する。なお、信号多重化装置９は、マルチ画像信号とともに音声信号が出力された場合は、マルチ画像信号と音声信号と放送情報データ信号とを多重化する。信号多重化装置９は、ＴＳ信号から送信信号を生成し、生成された送信信号を複数の視聴者が有するデータ放送受信装置５に送信する。
【００３４】
放送事業者が有する視聴履歴管理装置６は、視聴者が有するデータ放送受信装置５から送信された視聴履歴データを受信し、受信された視聴履歴データを記憶する。視聴履歴データは、データ放送受信装置５を識別する識別情報と、視聴者が選択した放送データを示す内容情報と、視聴者によって登録された視聴者情報等を含む。なお、視聴者情報は、視聴者の年齢、性別、家族構成、居住地域等を示す地域情報等が含まれる。
【００３５】
視聴履歴管理装置６は、記憶された各視聴者視聴履歴データに基づいてユーザ関連データ及び地域関連データを作成する。以下、ユーザ関連データ及び地域関連データの作成処理について説明する。なお、データ放送受信装置５は、視聴者が有するデータ放送受信装置５が放送データを選択して選局処理が行われた際に、選択された放送データを示す内容情報及びデータ放送受信装置５を識別するための識別情報を含む視聴履歴データを視聴履歴管理装置６に送信する。
【００３６】
視聴履歴管理装置６は、データ放送受信装置５から送信された視聴履歴データから、識別情報、並びに、内容情報に含まれる番組カテゴリー及び番組紹介情報等を抽出する。視聴履歴管理装置６は、識別情報毎に、視聴されている割合が所定割合以上の番組カテゴリーをユーザ関連データとして作成する。また、視聴履歴管理装置６は、番組紹介情報に含まれる地域名称毎に、視聴されている割合が割合以上の番組カテゴリーを地域関連データとして生成する。なお、視聴履歴管理装置６は、番組紹介情報に含まれる他の情報毎に（例えば、年齢毎に）、視聴されている割合が割合以上の番組カテゴリーを関連データとして生成する。ユーザ関連データによって、視聴者毎に（識別情報毎に）、どの番組カテゴリーが良く見られているか判断することができ、番組選択放送データの表示の際に、ユーザ関連情報に基づいて、放送画像に所定のユーザ関連画像（「おすすめ！」等の文字画像情報等）を重畳表示することで視聴者の利便性が向上する。
【００３７】
また、地域関連データによって、視聴者毎に（識別情報毎に）、当該視聴者に関連付けられた地域（居住地域等）でよく見られている番組カテゴリーを判断することができ、番組選択放送データの表示の際に、地域関連データに基づいて、放送画像に所定の地域関連画像（「おすすめ！」等の文字画像情報等）を重畳表示することで視聴者の利便性が向上する。なお、地域関連情報は、視聴者毎に、記憶媒体に登録した居住情報としてもよい。これにより、番組選択放送データの表示の際に、視聴者が居住する地域に関連する放送画像に所定の地域関連画像（「おすすめ！」等の文字画像情報等）を重畳表示することで視聴者の利便性が向上する。
【００３８】
視聴履歴管理装置６は、作成された各識別情報のユーザ関連データ及び地域関連データを、各識別情報に対応するデータ放送受信装置５に送信する。
【００３９】
視聴者が有するデータ放送受信装置５は、記憶媒体を装着可能な記憶媒体装着部を備える。記憶媒体は、例えば、Ｃ−ＣＡＳカード等であり、放送事業者と契約した視聴者が、放送事業者から譲渡又は貸与されたものである。記憶媒体のそれぞれは、他の記憶媒体と識別し得るように個別の識別情報が記憶されており、当該個別の識別情報は、データ放送受信装置５を識別する識別情報として機能する。
【００４０】
データ放送受信装置５は、データ放送送信装置４から送信された多重化されたマルチ画像信号及び放送情報データ信号を受信し、受信したマルチ画像信号及び放送情報データ信号からマルチ画像データ及び放送情報データを生成する。そして、データ放送受信装置５は、生成したマルチ画像データ及び放送情報データを表示画面１０に送信する。表示画面１０は、データ放送送信装置４から送信されたマルチ画像データ上に放送情報データ信号に対応する図形画像データ及び／又は文字データを重畳した画像を表示する。データ放送受信装置５は、データ放送送信装置４から送信された放送情報データ信号に基づいて、ユーザ関連データ又は地域関連データを表示する放送画像がマルチ画像データに含まれているか否かを判定する。データ放送受信装置５は、ユーザ関連データ及び地域関連データを表示する放送画像が含まれていると判定した場合、判定された放送画像上の位置に配置したユーザ関連データ又は地域関連データを放送情報データから特定する。データ放送受信装置５は、マルチ画像データに対応する画像上に特定したユーザ関連データ又は地域関連データに対応するユーザ関連画像又は地域関連画像を重畳した画面を表示する。
【００４１】
次に、視聴者が、選局操作をしたときに、データ放送受信装置５は、記憶された各放送画像の放送番組の視聴可能情報に基づいて選局された放送局が視聴不可であるか否かを判断する。そして、データ放送受信装置５は、選局された放送局が視聴不可であると判断した場合、当該放送局の放送番組の放送データに対応する放送画像上の位置に配置する、放送データの視聴が認められていないことを示す視聴不可画像を生成する。データ放送受信装置５は、マルチ画像信号に対応する画像上に視聴不可画像を重畳した画面データを表示画面１０に出力し、表示画面１０は、出力された画面データを表示する。
【００４２】
データ放送受信装置５は、視聴者の選局操作によって放送データが選択されたときに、選局された放送局が視聴可能であると判断した場合、放送局の放送番組を選局して、表示画面１０に表示させる。この際、データ放送受信装置５は、選択された放送データを示す視聴履歴データ及び識別情報を含む視聴履歴データを視聴履歴管理装置６に送信する。また、データ放送受信装置５は、視聴履歴管理装置６から送信されたユーザ関連データ及び地域関連データを受信し、受信されたユーザ関連データ及び地域関連データを記憶する。
【００４３】
図３は、本実施形態のデータ放送受信装置５の概略構成の一例を示す図である。
【００４４】
データ放送受信装置５は、視聴者が有し、放送事業者が提供する放送データを受信し、放送データに含まれる映像データ、音声データ、及び放送情報データを表示装置１０に表示させる。そのために、データ放送受信装置５は、放送受信部５０１と、分配部５０２と、映像デコーダ部５０３と、映像出力部５０４と、音声デコーダ部５０５と、音声出力部５０６と、記憶媒体装着部５０７と、履歴通信部５０８と、放送記憶部５０９と、受信処理部５１０とを備える。
【００４５】
放送受信部５０１は、データ放送送信装置４の信号多重化装置９から送信された送信信号を受信し、受信した送信信号を復調するとともに誤り訂正を行うことにより、送信信号をＴＳ信号に戻す。放送受信部５０１は、ＴＳ信号を分配部５０２に渡す。なお、放送受信部５０１は、第１受信部の一例である。
【００４６】
分配部５０２は、放送受信部５０１からＴＳ信号を受け取ると、ＴＳ信号に含まれるマルチ画像信号、音声信号、及び放送情報データ信号に分離する。分配部５０２は、マルチ画像信号を映像デコーダ部５０３に渡し、音声信号を音声デコーダ部５０５に渡し、放送情報データ信号を受信処理部５１０の取得部５１１に渡す。
【００４７】
映像デコーダ部５０３は、分配部５０２から受け取ったマルチ画像信号を復号し、復号した番組映像信号を映像出力部５０４に渡す。
【００４８】
映像出力部５０４は、映像デコーダ部５０３から受け取ったマルチ画像信号からマルチ画像データを生成し、マルチ画像データと取得部５１０から受け取った放送情報データとを重畳して作成した画像データを表示装置１０に出力する。なお、映像出力部５０４は、第２送信部の一例である。
【００４９】
音声デコーダ部５０５は、分配部５０２から受け取った音声信号を復号し、復号した音声信号を音声出力部５０４に渡す。
【００５０】
音声出力部５０６は、音声デコーダ部５０５から受け取った音声信号から音声データを生成し、音声データを表示装置１０に出力する。
【００５１】
記憶媒体装着部５０７は、記憶媒体を着脱可能に保持するカードスロットを備える。例えば、記憶媒体がＢ−ＣＡＳ（BS - Conditional Access System）カード又はＣ−ＣＡＳカードである場合は、記憶媒体装着部５０７はＣＡＳカード用スロットを備える。記憶媒体装着部５０７は、装着された記憶媒体に記憶された各種情報を読み出す機能を有する。
【００５２】
履歴通信部５０８は、データ放送受信装置５をインターネット１１に接続するための通信インターフェース回路を有する。履歴通信部５０８は、視聴履歴管理装置６から受信したデータを受信処理部５１０に供給し且つ受信処理部５１０から受けとったデータを視聴履歴管理装置６に送信する。
【００５３】
放送記憶部５０９は、例えば、半導体メモリ、磁気ディスク装置、及び光ディスク装置の内の少なくとも一つを有する。放送記憶部５０９は、受信処理部５１０による処理に用いられるドライバプログラム、オペレーティングシステムプログラム、アプリケーションプログラム、データ等を記憶する。例えば、放送記憶部５０９は、ドライバプログラムとして、履歴通信部５０８を制御する通信デバイスドライバプログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて放送記憶部５０９にインストールされてもよい。
【００５４】
また、放送記憶部５０９は、データとして、ユーザ関連データ及び地域関連データ等を記憶する。
【００５５】
受信処理部５１０は、一又は複数個のプロセッサ及びその周辺回路を備える。受信処理部５１０は、例えばＣＰＵ（Central Processing Unit）であり、データ放送受信装置５の全体的な動作を統括的に制御する。受信処理部５１０は、データ放送受信装置５の各種処理が放送記憶部５０９に記憶されているプログラム等に基づいて適切な手順で実行されるように、放送受信部５０１等の動作を制御する。受信処理部５１０は、放送記憶部５０９に記憶されているプログラム（オペレーティングシステムプログラムやドライバプログラム、アプリケーションプログラム等）に基づいて処理を実行する。また、受信処理部５１０は、複数のプログラム（アプリケーションプログラム等）を並列に実行することができる。
【００５６】
受信処理部５１０は、取得部５１１と、放送情報データ生成部５１２と、選局部５１３と、配信要求部５１４と、記憶処理部５１５とを備える。これらの各部は、受信処理部５１０が備えるプロセッサで実行されるプログラムにより実現される機能モジュールである。あるいは、これらの各部は、ファームウェアとしてデータ放送受信装置５に実装されてもよい。受信処理部５１０の機能の詳細は、後述する。
【００５７】
図４は、本実施形態の視聴履歴管理装置６の概略構成の一例を示す図である。
【００５８】
視聴履歴管理装置６は、データ放送受信装置５から受信した視聴履歴データに基づいてユーザ関連データ及び地域関連データを作成し、作成されたユーザ関連データ及び地域関連データをデータ放送受信装置５に送信する。そのために、視聴履歴管理装置６は、履歴管理通信部６１と、履歴記憶部６２と、履歴管理処理部６３とを備える。
【００５９】
履歴管理通信部６１は、視聴履歴管理装置６をインターネット１１に接続するための通信インターフェース回路を有する。履歴管理通信部６１は、データ放送受信装置５から受信したデータを履歴管理処理部６３に供給し且つ履歴管理処理部６３から受けとったデータをデータ放送受信装置５に送信する。
【００６０】
履歴記憶部６２は、例えば、半導体メモリ、磁気ディスク装置、及び光ディスク装置の内の少なくとも一つを有する。履歴記憶部６２は、履歴管理処理部６３による処理に用いられるドライバプログラム、オペレーティングシステムプログラム、アプリケーションプログラム、データ等を記憶する。例えば、履歴記憶部６２は、ドライバプログラムとして、履歴管理通信部６１を制御する通信デバイスドライバプログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて履歴記憶部６２にインストールされてもよい。
【００６１】
また、履歴記憶部６２は、データとして、データ放送受信装置５から受信し且つ識別情報毎に対応付けられた視聴履歴データ等を記憶する。
【００６２】
履歴管理処理部６３は、一又は複数個のプロセッサ及びその周辺回路を備える。履歴管理処理部６３は、例えばＣＰＵであり、視聴履歴管理装置６の全体的な動作を統括的に制御する。履歴管理処理部６３は、視聴履歴管理装置６の各種処理が履歴記憶部６２に記憶されているプログラム等に基づいて適切な手順で実行されるように、履歴管理通信部６１等の動作を制御する。履歴管理処理部６３は、履歴記憶部６２に記憶されているプログラム（オペレーティングシステムプログラムやドライバプログラム、アプリケーションプログラム等）に基づいて処理を実行する。また、履歴管理処理部６３は、複数のプログラム（アプリケーションプログラム等）を並列に実行することができる。
【００６３】
履歴管理処理部６３は、視聴履歴データ取得部６３１と、生成部６３２と、配信部６３３とを備える。これらの各部は、履歴管理処理部６３が備えるプロセッサで実行されるプログラムにより実現される機能モジュールである。あるいは、これらの各部は、ファームウェアとして視聴履歴管理装置６に実装されてもよい。履歴管理処理部６３の機能の詳細は、後述する。
【００６４】
図５は、本実施形態のマルチ画像信号生成装置７の概略構成の一例を示す図である。
【００６５】
マルチ画像信号生成装置７は、マルチ画像信号と音声信号と放送情報データ信号とを多重化して送信信号を生成し、生成した送信信号をデータ放送受信装置５に送信する。そのために、マルチ画像信号生成装置７は、映像入力部７１と、映像出力部７２と、映像記憶部７３と、映像処理部７４とを備える。
【００６６】
映像入力部７１は、複数の放送局のそれぞれから提供される番組放送の放送データを入力するスイッチャ等である。映像入力部７１は、入力された複数の放送局の放送データのうち、映像合成部７４１によって指定された所定数の放送局の放送データを映像合成部７４１に出力する。
【００６７】
映像出力部７２は、映像合成部７４１から、作成されたマルチ画像信号を受け取り、受け取ったマルチ画像信号を信号多重化装置９に出力する。
【００６８】
映像記憶部７３は、例えば、半導体メモリ、磁気ディスク装置、及び光ディスク装置の内の少なくとも一つを有する。映像記憶部７３は、映像処理部７４による処理に用いられるドライバプログラム、オペレーティングシステムプログラム、アプリケーションプログラム、データ等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて映像記憶部７３にインストールされてもよい。
【００６９】
映像処理部７４は、一又は複数個のプロセッサ及びその周辺回路を備える。映像処理部７４は、例えばＣＰＵであり、マルチ画像信号生成装置７の全体的な動作を統括的に制御する。映像処理部７４は、マルチ画像信号生成装置７の各種処理が映像記憶部７３に記憶されているプログラム等に基づいて適切な手順で実行されるように、映像入力部７１等の動作を制御する。映像処理部７４は、映像記憶部７３に記憶されているプログラム（オペレーティングシステムプログラムやドライバプログラム、アプリケーションプログラム等）に基づいて処理を実行する。また、映像処理部７４は、複数のプログラム（アプリケーションプログラム等）を並列に実行することができる。
【００７０】
映像処理部７４は、映像合成部７４１を備える。映像合成部７４１は、映像処理部７４が備えるプロセッサで実行されるプログラムにより実現される機能モジュールである。あるいは、これらの各部は、ファームウェアとしてマルチ画像信号生成装置７に実装されてもよい。
【００７１】
映像合成部７４１は、マルチ画像データの作成者による操作入力情報又は予め定められた設定情報に基づいて、映像入力部７１にマルチ画像データに含まれる放送画像の放送局を所定数指示する。映像合成部７４１は、マルチ画像データ生成部の一例である。
【００７２】
また、映像合成部７４１は、映像入力部７１から所定数の放送局の放送データを受け取り、１画面を分割して生成した所定数の子画面のそれぞれに、受け取った所定数の放送局の放送データに含まれる画像データを配置したマルチ画像データを合成する。映像合成部７４１は、合成して作成したマルチ画像データを映像出力部７２に渡す。
【００７３】
図６は、本実施形態のデータ信号生成装置８の概略構成の一例を示す図である。
【００７４】
データ信号生成装置８は、マルチ画像に含まれる複数の放送画像に対応する位置情報及び内容情報を含む放送情報データを生成する。そのために、データ信号生成装置８は、データ通信部８１と、データ出力部８２と、データ記憶部８３と、信号生成部８４と、データ処理部８５を備える。
【００７５】
データ通信部８１は、データ信号生成装置８をインターネット等の通信ネットワークに接続するための通信インターフェース回路を有する。データ通信部８１は、データ放送受信装置５から受信した外部データを外部データ取得部８５１に供給する。外部データは、特定のＷｅｂサーバ（ウェブサーバ）によって公開されたＨＴＭＬ（HyperText Markup Language）文書及び／又は画像等である。
【００７６】
データ出力部８２は、信号生成部８４から、生成された放送情報信号を受け取り、受け取った放送情報信号を信号多重化装置９に出力する。
【００７７】
データ記憶部８３は、例えば、半導体メモリ、磁気ディスク装置、及び光ディスク装置の内の少なくとも一つを有する。データ記憶部８３は、データ処理部８５による処理に用いられるドライバプログラム、オペレーティングシステムプログラム、アプリケーションプログラム、データ等を記憶する。例えば、データ記憶部８３は、ドライバプログラムとして、データ通信部８１を制御する通信デバイスドライバプログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いてデータ記憶部８３にインストールされてもよい。
【００７８】
信号生成部８４は、放送情報データ生成部８５２によって生成された放送情報データを放送情報信号に変換してデータ出力部８２に渡す。
【００７９】
データ処理部８５は、一又は複数個のプロセッサ及びその周辺回路を備える。データ処理部８５は、例えばＣＰＵであり、データ信号生成装置８の全体的な動作を統括的に制御する。データ処理部８５は、データ信号生成装置８の各種処理がデータ記憶部８３に記憶されているプログラム等に基づいて適切な手順で実行されるように、データ通信部８１等の動作を制御する。データ処理部８５は、データ記憶部８３に記憶されているプログラム（オペレーティングシステムプログラムやドライバプログラム、アプリケーションプログラム等）に基づいて処理を実行する。また、データ処理部８５は、複数のプログラム（アプリケーションプログラム等）を並列に実行することができる。
【００８０】
データ処理部８５は、外部データ取得部８５１と、放送情報データ生成部８５２とを備える。これらの各部は、受信処理部５１０が備えるプロセッサで実行されるプログラムにより実現される機能モジュールである。あるいは、これらの各部は、ファームウェアとしてデータ信号生成装置８に実装されてもよい。
【００８１】
外部データ取得部８５１は、特定のＷｅｂサーバ（ウェブサーバ）によって公開されたＨＴＭＬ文書及び／又は画像等の外部データを自動又は手動で取得する。
【００８２】
放送情報データ生成部８５２は、マルチ画像に含まれる複数の放送画像の位置情報及び内容情報を含む放送情報データを、管理者の操作又は外部データ取得部８５１によって取得された外部データに基づいて生成する。
【００８３】
図７は、本実施形態の信号多重化装置９の概略構成の一例を示す図である。
【００８４】
信号多重化装置９は、マルチ画像信号生成装置７から受け取ったマルチ画像信号とデータ信号生成装置８から受け取った放送情報信号とを多重化して送信信号を生成し、生成した送信信号をデータ放送受信装置５に送信する。そのために、信号多重化装置９は、信号受信部９１と、信号出力部９２と、多重化記憶部９３と、多重化処理部９４とを備える。
【００８５】
信号受信部９１は、マルチ画像信号生成装置７及びデータ信号生成装置２のそれぞれと接続し、マルチ画像信号生成装置７からマルチ画像信号を受信し、データ信号生成装置８から放送情報信号を受信する。信号受信部９１は、受信したマルチ画像信号及び放送情報信号を多重化処理部９１に渡す。
【００８６】
信号出力部９２は、ケーブルテレビ網１２と接続され、ケーブルテレビ網１２を介して、多重化処理部９４によって生成された送信信号を各データ放送受信装置５に送信する。なお、多重化処理部９４は、第１送信部の一例である。
【００８７】
多重化記憶部９３は、例えば、半導体メモリ、磁気ディスク装置、及び光ディスク装置の内の少なくとも一つを有する。多重化記憶部９３は、多重化処理部９４による処理に用いられるドライバプログラム、オペレーティングシステムプログラム、アプリケーションプログラム、データ等を記憶する。例えば、多重化記憶部９３は、コンピュータプログラムは、例えばＣＤ−ＲＯＭ、ＤＶＤ−ＲＯＭ等のコンピュータ読み取り可能な可搬型記録媒体から、公知のセットアッププログラム等を用いて多重化記憶部９３にインストールされてもよい。
【００８８】
多重化処理部９４は、一又は複数個のプロセッサ及びその周辺回路を備える。多重化処理部９４は、例えばＣＰＵであり、信号多重化装置９の全体的な動作を統括的に制御する。多重化処理部９４は、信号多重化装置９の各種処理が多重化記憶部９３に記憶されているプログラム等に基づいて適切な手順で実行されるように、信号受信部９１等の動作を制御する。多重化処理部９４は、多重化記憶部９３に記憶されているプログラム（オペレーティングシステムプログラムやドライバプログラム、アプリケーションプログラム等）に基づいて処理を実行する。また、多重化処理部９４は、複数のプログラム（アプリケーションプログラム等）を並列に実行することができる。
【００８９】
多重化処理部９４は、信号受信部９１からマルチ画像信号及び放送情報信号を受け取り、受け取ったマルチ画像信号及び放送情報信号をＴＳ等の信号形式に多重化し、ＴＳ信号を生成する。多重化処理部９４は、ＴＳ信号から送信用の送信信号を生成する。そして、多重化処理部９４は、生成された送信信号を信号出力部９２に渡す。
【００９０】
図８は、データ放送受信装置５の取得部５１１及び放送情報データ生成部５１２並びに表示装置１０の表示部による番組選択放送データ表示処理の動作フローの一例を示す図である。番組選択放送データ表示処理は、番組選択放送データのチャンネルが要求された時に実行される。
【００９１】
まず、データ放送受信装置５の取得部５１１は、放送受信部５０１を介して受信された番号選択放送データを取得する（ステップＳ１０１）。次に、取得部５１１は、放送記憶部５０９に記憶されたユーザ関連データ又は地域関連データを取得する（ステップＳ１０２）。なお、ユーザ関連データ又は地域関連データは、視聴履歴管理装置６から送信されたデータである。
【００９２】
次に、放送情報データ生成部５１２は、ユーザ関連画像又は地域関連画像を作成する（ステップＳ１０３）。まず、放送情報データ生成部５１２は、取得された番号選択放送データに含まれる放送情報データを抽出する。次に、放送情報データ生成部５１２は、抽出された放送情報データに含まれる位置情報及び内容情報を抽出する。次に、放送情報データ生成部５１２は、抽出された内容情報が、取得されたユーザ関連データ又は地域関連データを含むか否か判定する。放送情報データ生成部５１２は、抽出された内容情報が、取得されたユーザ関連データ又は地域関連データを含む場合、ユーザ関連データを含む内容情報に対応する放送画像の表示位置に表示されるユーザ関連画像又は地域関連画像を作成する。以上により、ステップＳ１０３の処理が終了する。
【００９３】
表示装置１０の表示部は、放送情報データ生成部５１２から、番号選択放送データ及びユーザ関連画像又は地域関連画像を受け取って、表示処理を実行する（ステップＳ１０４）。
【００９４】
これにより、放送番組選択システム１は、視聴者毎に、各視聴者がよく見る放送番組に対して画像を付加することができるため、視聴者の嗜好や生活に対応した番組の情報を提供することができ、視聴者の利便性を向上させることが可能となる。また、放送番組選択システム１は、視聴者毎に、地域情報に対応付けられた視聴者がよく見る放送番組に対して画像を付加することができるため、視聴者の地域や生活に対応した番組の情報を提供することができ、視聴者の利便性を向上させることが可能となる。
【００９５】
図９は、データ放送受信装置５の取得部５１１及び選局部５１３による選局処理の動作フローの一例を示す図である。選局処理は、番組選択放送データが表示装置１０の表示部に表示されている際に、視聴者により、選局操作がされた時に実行される。なお、選局部５１３は、制御部の一例である。
【００９６】
まず、データ放送受信装置５の取得部５１１は、視聴可能情報を取得する（ステップＳ２０１）。次に、データ放送受信装置５の選局部５１３は、ユーザが選局操作をしたときのカーソル図形が表示された位置に対応する放送情報データに含まれる位置情報に対応する内容情報に基づいて、放送画像の放送画像を特定する。次に、選局部５１３は、取得された各放送画像の放送番組の視聴可能情報によって、特定された放送画像が視聴可能か否かを判定する（ステップＳ２０２）。
【００９７】
選局部５１３は、特定された放送画像が視聴可能であると判定された場合は（ステップＳ２０２−Ｙｅｓ）、視聴履歴データを、視聴履歴管理装置６に送信し（ステップＳ２０３）、放送画像の放送番組を選局して、表示画面１０に表示させ（ステップＳ２０５）、一連のステップを終了する。
【００９８】
選局部５１３は、特定された放送画像が視聴可能でないと判定された場合（ステップＳ２０２−Ｎｏ）、視聴不可画像を表示画面１０に表示させ（ステップＳ２０４）、一連のステップを終了する。
【００９９】
図１０は、履歴管理処理部６３の視聴履歴データ取得部６３１、作成部６３２及び配信部６３３による視聴履歴管理処理の動作フローの一例を示す図である。
【０１００】
履歴管理処理部６３の視聴履歴データ取得部６３１は、データ放送受信装置５から送信された視聴履歴データを取得する（ステップＳ３０１）。次に、視聴履歴データ取得部６３１は、取得された視聴履歴データを履歴記憶部６２に記憶する（ステップＳ３０２）。
【０１０１】
次に、履歴管理処理部６３の作成部６３２は、ユーザ関連データ又は地域関連データを作成する（ステップＳ３０３）。まず、作成部６３２は、識別情報毎に集計された視聴履歴データに対応する放送番組の属性データのうち、各視聴者により視聴される割合が所定割合以上の属性データを、ユーザ関連データとして識別情報毎に作成する。次に、作成部６３２は、視聴者情報に含まれる地域情報と、地域情報に対応付けられた識別情報に対応する視聴履歴データに基づいて抽出された、地域毎に視聴される割合が所定割合以上の属性データを地域関連データとして識別情報毎に作成する。以上により、ステップＳ３０３の処理が終了する。
【０１０２】
次に、履歴管理処理部６３の配信部６３３は、データ放送受信装置５の配信要求部５１４からのユーザ関連データ又は地域関連データの配信要求を受信待ちする（ステップＳ３０４）。そして、配信部６３３は、配信要求部５１４から配信要求を受信した場合、ユーザ関連データ又は地域関連データをデータ放送受信装置５に配信し（ステップＳ３０５）、一連のステップを終了する。
【０１０３】
以上説明してきたように、放送番組選択システム１は、視聴者のそれぞれの視聴契約状況、嗜好等に対応した番組の情報を提供することができるため、視聴者の利便性を向上させることを可能とする放送番組選択システムを提供することが可能となる。
【０１０４】
当業者は、本発明の精神及び範囲から外れることなく、様々な変更、置換、及び修正をこれに加えることが可能であることを理解されたい。
【符号の説明】
【０１０５】
１    放送番組選択システム
４    データ放送送信装置
５    データ放送受信装置
５０１    放送受信部
５０２    分配部
５０３    映像デコーダ部
５０４    映像出力部
５０５    音声デコーダ部
５０６    音声出力部
５０７    記憶媒体装着部
５０８    履歴通信部
５０９    放送記憶部
５１０    受信処理部
５１１    取得部
５１２    放送情報データ生成部
５１３    選局部
５１４    配信要求部
５１５    記憶処理部
６    視聴履歴管理装置
６１    履歴管理通信部
６２    履歴記憶部
６３    履歴管理処理部
６３１    視聴履歴データ取得部
６３２    作成部
６３３    配信部
７    マルチ画像信号生成装置
７１    映像入力部
７２    映像出力部
７３    映像記憶部
７４    映像処理部
７４１    映像合成部
８    データ信号生成装置
８１    データ通信部
８２    出力部
８３    データ記憶部
８４    信号生成部
８５    データ処理部
８５１    外部データ取得部
８５２    放送情報データ生成部
９    信号多重化装置
９１    信号受信部
９２    信号出力部
９３    多重化記憶部
９４    多重化処理部
１０    表示装置
１１    インターネット
１２    ケーブルテレビ網
【図２】
2016225853.tif 000003
【図３】
2016225853.tif 000004
【図４】
2016225853.tif 000005
【図５】
2016225853.tif 000006
【図６】
2016225853.tif 000007
【図７】
2016225853.tif 000008
【図８】
2016225853.tif 000009
【図９】
2016225853.tif 000010
【図１０】
2016225853.tif 000011
【図１】
2016225853.tif 000012